Podtech/llm-jp-corpus-v4-ja_patent huggingface dataset:
(57)【要約】      （修正有）【課題】紙の箱に、個包装された紅茶と果物を一緒に入れたギフトセットを提供する。【解決手段】一つの段ボール地の丈夫な外箱１に、果物２と紅茶７をセットして入れる。茶葉は個包装の上、引き出し式の箱５に入れる。果物は別の内箱３に入れ、痛まないようにナイロン及び紙パッキン等で包み込む。引き出し式の箱は、ギフトの値段や顧客の要望に応じて、引き出し式の箱数を１個から４個まで調整できるようにし、引き出しの箱は、食べ終えた後に小物入れとして使用可能であり、環境にも配慮している。尚、引き出し式の箱数を奇数にすると空間が余るので、その部分は何も入っていない立方体の箱を詰め、空間を補う。【選択図】図１
0003171138.tif 000002
【実用新案登録請求の範囲】
【請求項１】
紅茶と果物を一緒に入れたギフトセットで、紅茶は個包装され、量を計らずにポットを使って美味しいお茶が入れられる。箱の素材は紙でできており、入れ物は引き出しの形で消費者が小物入れ等に再利用可能なものになっている。
【考案の詳細な説明】
【技術分野】
【０００１】  本考案は、一つの箱の中に、茶葉と果樹農産物をセットにしたギフトに関するものである。
【背景技術】
【０００２】  従来のギフトでは、それぞれが個々にギフトとして販売されており、別々に購入しなければならず、お茶請けである果物と、紅茶を一緒にしたギフトセットが無かった。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  従来のギフトでは、果物と紅茶を別々に購入する必要があり、割高な費用となるが、果物とお茶をセットにする事で、受け取ったその日に紅茶と果物を一緒に食べられ、便利である。現在のように核家族化、個食化が進む食卓では、同じ食べ物を大量に食べるのではなく、それぞれを少しずつ味わう方が、消費者に取ってメリットが大きい。
【課題を解決するための手段】
【０００６】  一つの段ボール地の丈夫な外箱に、果物と紅茶をセットして入れる。茶葉は個包装の上、引き出し式の箱に入れる。果物は別の内箱に入れ、痛まないようにナイロン及び紙パッキン等で包み込む。引き出し式の箱は、ギフトの値段や顧客の要望に応じて、引き出し式の箱数を１個から４個まで調整できるようにし、引き出しの箱は、食べ終えた後に小物入れとして使用可能であり、環境にも配慮している。尚、引き出し式の箱数を奇数にすると空間が余るので、その部分は何も入っていない立方体の箱を詰め、空間を補う。
【考案の効果】
【０００７】  果物と紅茶を個包装する事でそれぞれの味、または一緒に食べる愉しみを生み出し、利便性及び「食の愉しみ」を追求している。一回ずつの使い切りタイプの紅茶にしているので、茶葉の量を計る必要が無いため、高齢者やペットボトルの茶しか知らない若年層でも美味しいお茶をポットを使って誰でも簡単に入れる事ができる。引き出し式の箱は、小物入れなどにして繰り返し利用できる。
【図面の簡単な説明】
【０００８】
【図１】本考案のギフトセットの実施例を示す正面図１である。
【図２】本考案のギフトセットの実施例を示す側面図２である。
【考案を実施するための形態】
ギフト箱は紙でできている。上部の蓋を開けると、しきりに分けられた空間の一つに果物があり、もう一つの空間には引き出し式の箱があり、その中に紅茶が入っていて、使用する度に引き出しから一つずつ取り出して使う。紅茶は一回ずつ飲めるようにアルミ袋で個包装されている。引き出し式の箱と果物が入る部分の箱は独立しているので、それぞれ取り外す事ができ、紅茶を飲み終えた後は小物入れ等に再利用可能である。
【実施例】
【０００９】  以下、添付画面に沿って実施例を説明する。１は引き出し式の箱と果物の箱を包括する箱である。２は果物を入れた配置例である。３は果物が入った箱である。４は引き出し式の箱の取っ手部分で、デザイン上により、布などにも変更可能である。５は引き出し式の箱の中身で、６は引き出し式の箱の外側部分である。４を引っ張り、５の引き出しの入れ物部分が出てくるようになっている。７は個包装された紅茶で、これが５の中に入っている。８は外箱の蓋である。【０００１０】
【産業上の利用可能性】
【０００１１】
【符号の説明】
【０００１２】１  外箱
２  果物
３  果物を入れる内箱
４  引き出し取っ手部分
５  引き出し式箱の中身部分
６  引き出し式箱の外側部分
７  個包装された紅茶
８  外箱の蓋
【図１】
0003171138.tif 000003
【図２】
0003171138.tif 000004
【手続補正書】
【提出日】平成23年3月19日(2011.3.19)
【手続補正１】
【補正対象書類名】実用新案登録請求の範囲
【補正対象項目名】全文
【補正方法】変更
【補正の内容】
【実用新案登録請求の範囲】
【請求項１】
紙でできたの箱に、個包装された紅茶と果物を一緒に入れたギフトセットの形状を有する果樹農産物と紅茶のギフトセット。
【手続補正書】
【提出日】平成23年7月13日(2011.7.13)
【手続補正１】
【補正対象書類名】実用新案登録請求の範囲
【補正対象項目名】全文
【補正方法】変更
【補正の内容】
【実用新案登録請求の範囲】
【請求項１】
紙製の箱に内箱と引き出し式の箱を収納し、内箱には果物を入れ、引き出し式の箱には個包装された紅茶を入れたことを特徴とする、果樹農産物と紅茶のギフトセット。
(57)【要約】【課題】従来、トイレットペーパーは手で巻いて使用していたが、面倒であり不便であった。それを簡便にできるようにした。【解決手段】トイレットペーパーホルダーの右側に本体１をペーパーホルダーの取り付けビスを兼用して設置し、それに回転する取手２を装着し、その先にペーパーを入れるすきまのある板金３を付着したトイレットペーパーの巻き取り器具である。トイレットペーパーの使用が簡便にでき、節約もできる。【選択図】図３
0003171168.tif 000002
【実用新案登録請求の範囲】
【請求項１】
巻き取り器具本体１に回転移動する取手２を装着しその先に、ペーパーを入れるすきまのある板金３を付着したトイレットペーパーの巻取り器具。
【考案の詳細な説明】
【考案の詳細な説明】
【考案が解決しようとする課題】
【０００１】従来はトイレットペーパーを使用するときは手で巻き取りしていたが、面倒であり不便であった。
【課題を解決するための手段】
【０００２】  上記目標を達成するために、トイレットペーパーホルダーの右側に巻き取り器具本体１をペーパーホルダーの取り付けビスを兼用して設置し、ホルダーからのペーパーを板金３のすきまに合わせて入れて、取手２を回転する。ペーパーが使用分巻ければ、ホルダーのペーパーカバーを左手で押えて、取手２をまわすとペーパーが切れ目のところで切れる。それを左手で左に引くと使用分が板金３から簡便に取り出せる。
【考案の効果】
【０００３】  このトイレットペーパー巻き取り器具を使用すれば、これまでよりもペーパーの節約にもなり簡便にできる。
【図面の簡単な説明】
【図１】トイレットペーパーの巻き取り器具の立体図である。
【図２】トイレットペーパーの巻き取り器具の側面図である。
【図３】トイレットペーパーの巻き取り器具の立体斜視図である。
【符号の説明】１  本体
２  取手
３  板金
【図１】
0003171168.tif 000003
【図２】
0003171168.tif 000004
【図３】
0003171168.tif 000005
(57)【要約】      （修正有）【課題】耐久性と安全性に優れるペット用玩具を提供する。【解決手段】玩具の全体又は一部にオリーブ木材を加工して使用する。【選択図】図１
0003171167.tif 000002
【実用新案登録請求の範囲】
【請求項１】
オリーブの木材を加工して全体または一部に使用したことを特徴とするペット用玩具
【考案の詳細な説明】
【技術分野】
【０００１】この考案はペット用玩具に関するものである。
【背景技術】
【０００２】従来のペット用玩具はプラスチック、ゴム、布が一般的であった。
【考案の開示】
【考案が解決しようとする課題】
【０００３】従来のペット用玩具はプラスチック成型品は割れやすく、ゴムは耐候性に劣り、布は容易に断裂する可能性があり、ペットが飲み込んだりする危険性があった。
【課題を解決するための手段】
【０００４】［図１］［図２］のような本考案のオリーブの木材を加工して全体または一部に使用したことを特徴とするペット用玩具を提供する。
【考案の効果】
【０００５】本考案に使用するオリーブの木材は木目が細かくて割れにくく、折れにくいのでペット用玩具としてこわれにくくペットが誤飲しにくい。また仮に一部が欠けても  オリーブ材は古くから食器等として使用され安全性がある。
【実施例】
【０００６】［図１］のように全体をオリーブの木で形成したペット用玩具や［図２］のように一部にオリーブの木を使用したペット用玩具は耐久性と安全性がありペットの玩具の材質として最適である。
【産業上の利用可能性】
【０００７】オリーブの木は硬く割れにくいのでペットの玩具として耐久性があり資源の保護になる。またオリーブの木材もオリーブ油を採った後の廃材でこれも資源の保護になる。
【図面の簡単な説明】
【０００８】
【図１】本考案の全体にオリーブ材を使用したペット用玩具
【図２】本考案の一部にオリーブ材を使用したペット用玩具
【図１】
0003171167.tif 000003
【図２】
0003171167.tif 000004
(57)【要約】      （修正有）【課題】発泡合成樹脂成形体やコンクリート等からなる基礎に較べ、強度・耐久性にすぐれた石材を使った墓石基礎を提供する。【解決手段】平行に配置された角柱状の石材１と、その石材の間に水平になる様に配置された梁石材２と、その石材１と梁石材２を固定するＬ字金具３を設け、更にはその石材は上に配置される墓石の幅より広く配置した構造とする。【選択図】図１
0003171169.tif 000002
【実用新案登録請求の範囲】
【請求項１】
平行に配置された角柱状の石材と、その石材の間に水平になる様に配置された梁石材と、前記石材と前記梁石材を固定するＬ字金具を有した墓石基礎。
【請求項２】
前記石材は上部に配置されている墓石の幅より広く配置されている事を特長する前記請求項１記載の墓石基礎。
【考案の詳細な説明】
【技術分野】
【０００１】本考案は、土中に埋め込まれる墓石の墓石基礎に関する。
【背景技術】
【０００２】  従来より墓石を配置するのにあたっては墓石の下部分に穴を空け、その孔の下部土間部分をコンクリートで固めて強化し基礎としていた。しかし、この方法ではコンクリートの厚みにより強度が変わる。またコンクリートを厚くして強度を持たせようとすると、硬化するまでに多くの日数を要する事になる。
そこで例えば特開２００５−１６３３３号公報では沈下や傾斜のおそれもない墓基礎体とこれを用いた墓基礎の構築方法並びに墓を提案している。すなわち発泡合成樹脂体に応じた穴を掘削し、その底面を均一かつ水平に整地し、穴に基礎体を設置し墓石を設置、根元に盛土をして基礎を構成している。
【先行技術文献】
【特許文献】
【０００３】
【特許文献１】  特開２００５−１６３３３３号公報
【考案の概要】
【考案が解決しようとする課題】
【０００４】  しかしこのやり方では、発泡合成樹脂成形体の耐久年数が何年なのか実証的に証明されていない。そして、発泡樹脂成形体の地中接地面の均一かつ水平の整地に関して地中奥深い為に、作業性作業品質が悪い。また墓石基礎が固定されず設置後周囲に土壌を埋め戻す時、基礎体の位置が動いたり水平が崩れる。更に発泡合成樹脂成形体の天面が突状になっており、なお且つ納骨室壁面がテーパーになっていて、墓石に当たり垂れ下がった雨水は、納骨室の底面に溜まりやすい。
【課題を解決するための手段】
【０００５】  本考案は、平行に配置された角柱状の石材と、その石材の間に水平になる様に配置された梁石材と、その石材と梁石材を固定するＬ字金具を有したものであって、更にはその石材は上に配置される墓石の幅より広く配置されているものである。
【考案の効果】
【０００６】  このような石材は、発泡合成樹脂成形体、コンクリート等の基礎より強度面、耐久性で優れている事が実証されている。すなわち、強度面が優れている為、発泡合成樹脂成形体、コンクリートを使用する時より薄い石材で強度が確保でき地表面近くでの作業になる為に水平面が容易に確保でき施工性、施工品質が良い。
平行に配置された石材と、その石材の間に平行になる様に配置された梁石材とそれらを固定するＬ字金具で固定する。各石材が一体化された墓石基礎の為に全体として固定、安定する。
この石材は上に配置される墓石の幅より広く配置される事を特徴とする為に、墓石に当たり垂れ下がった雨水等の納骨室への侵入を防ぐ。
また墓基礎の養生期間不要の為、墓石基礎とその上に設置される墓石が連続施工出来、画期的に工期短縮出来る。
さらに納骨室壁面が天然の石材であり、美観的にも優れた様式美である。また、納骨してご先祖を祭ると言う日本人独特の精神面を満足させる。
【図面の簡単な説明】
【０００７】
【図１】  本考案実施例の墓石基礎の斜視図である。
【図２】  本考案実施例における墓石施工後の正面図である。
【図３】  本考案の他の実施例の墓石基礎の斜視図である。
【実施例】
【０００８】  図１及び図２を参照して、１は平行に配置された角柱状の石材で、断面は例えば２０ｃｍ長さは例えば１００ｃｍの御影石からなっている。２は、その石材１の間に水平になる様に配置された梁石材で、幅は例えば２０ｃｍである。これらの石材１、梁石材２は土中に開けられた穴７の周縁部に埋め込まれるように、例えばロ字状とか梯子型に配置され、表面には薄く土が盛られている。
石材１と梁石材２で囲まれた空間は納骨室を構成するので、穴７の底面は土が露出していてもいいし、底面に玉石やバラスが敷き詰められていてもよい。また石材１と梁石材２は厚さ３ｍｍ程度の丈夫なステンレス製のＬ字金具３で互いに固定されている。
このような石材１は上部に配置されている墓石の幅より広く配置されているのが、墓石が安定するので好ましい。【０００９】  図３は他の実施例であって、墓地面積も狭くコンパクトな洋墓の様な場合納骨室が狭くなる為、平行に配置された石材１１，１１に対し梁石材２１を１本使用として納骨スペースを確保した。このような場合は、例えば梁石材不足を縁石５０、５１と連結し使用するとよい。また納骨室は飾り石６で室内を整えてもよい。納骨室の高さが十分に得られないときは、上部に載せる墓石の土台をくりぬいて納骨室上部を形成してもよい。
【産業上の利用可能性】
【００１０】本考案は上述のように、堅牢で施工しやすく、また美観もコンクリートと比較し好ましい
【符号の説明】
【００１１】    １、１１  石材
２、２１  梁石材
３  Ｌ字金具
４  墓石
【図１】
0003171169.tif 000003
【図２】
0003171169.tif 000004
【図３】
0003171169.tif 000005
(57)【要約】      （修正有）【課題】風圧破損・雨水汚損に対応する性能及び、外見上併せて熱耐久性の向上を図った車両等用縛着標旗を提供する。【解決手段】車両等に縛着して使用する標旗の素材をビニールメッシュで作製し、所要事項はシルクスクリーン印刷により表示する。この構造により、風圧破損・雨水汚損しづらく外見上併せて熱耐久性にも優る標旗を提供でき、従来品に比し利用者の行動範囲・能力及び経費対効率を向上させ、購入・取替のための業務軽減にも寄与することを可とする。【選択図】図１
0003171158.tif 000002
【実用新案登録請求の範囲】
【請求項１】
車両等に縛着する標旗にビニールメッシュ製の素材を用いた改良
【考案の詳細な説明】
【技術分野】
【０００１】  本考案は、車両等に縛着する標旗にビニールメッシュ製の素材を用いた改良に関するものである。
【背景技術】
【０００２】  従来の車両等用縛着標旗に用いる標旗の仕様は、図１に示すような形状で素材に布・ビニール帆布等を使用作製し、所要事項を印刷表示した物である。
【考案の開示】
【考案が解決しようとする課題】
【０００３】  しかしながら、上記の仕様によれば風圧破損・雨水汚損し易く、その際外見上併せて熱耐久性にも劣っていた。そこでこの考案は、風圧破損・雨水汚損しづらく外見上併せて熱耐久性にも優る車両等用縛着標旗を提供することを課題とする。
【課題を解決するための手段】
【０００４】  本考案は上記の課題を解決するために、ビニールメッシュ製の素材を使用し車両等用縛着標旗として機能せしめることである。
【考案の効果】
【０００５】  本考案によれば、風圧破損・雨水汚損しづらく外見上併せて熱耐久性にも優る標旗を提供でき、従来品に比し利用者の行動範囲・能力及び経費対効率を向上させ、購入・取替のための業務軽減にも寄与する。
【考案を実施するための形態】
【０００６】  この考案の一実施形態を、図１に示す。
標旗本体はビニールメッシュ製であり、所要事項はシルクスクリーン印刷によって表示されている。
【実施例】
【０００７】  この考案は、図２を縛着した多数の車両によって今般の震災で多数活動中。
【産業上の利用可能性】
【０００８】  風圧・雨水等を受ける建物外壁等への表示標旗への応用。
【図面の簡単な説明】
【０００９】
【図１】本考案の一実施形態を示す正視図であり、全周に補強・縛着用具取付、メッシュ部に印刷を施す。
【図２】本考案の作製実例写真である。
【図１】
0003171158.tif 000003
【図２】
0003171158.tif 000004
【手続補正書】
【提出日】平成23年7月29日(2011.7.29)
【手続補正１】
【補正対象書類名】実用新案登録請求の範囲
【補正対象項目名】全文
【補正方法】変更
【補正の内容】
【実用新案登録請求の範囲】
【請求項１】
車両等に縛着する標旗にビニールメッシュ製の素材を用いた、ビニールメッシュ製車両等用縛着標旗。
(57)【要約】      （修正有）【課題】直線、小さな曲線、及びこれらを含んだ複雑形状、複雑な穴など形状の金属板を、容易に切断ができる弓鋸の鋸刃を提供する。【解決手段】鋸刃の中央部分の幅を、鋸刃の前後の取り付け部よりも十分に小さくする。鋸刃の前取り付け部の幅を、後取り付け部より小さくして、穴加工時に鋸刃を通す下穴の大きさを、出来るだけ小さくするようにしている。【選択図】図３
0003171154.tif 000002
【実用新案登録請求の範囲】
【請求項１】
両端の取り付け部よりも中央の切断部の幅が、十分に小さいことを特徴とする
弓鋸の鋸刃。
【請求項２】
前取り付け部の幅が、後取り付け部よりも小さいことを特徴とする請求項１の弓鋸の鋸刃。
【請求項３】
従来の鋸刃の不要部分を、切断または切削して製作することを特徴とする請求項1、2の弓鋸の鋸刃。
【考案の詳細な説明】
【技術分野】
【０００１】
本考案は、金属板などの薄板を切断する弓鋸の鋸刃に関するものである。
【背景技術】
【０００２】
弓鋸は、持ち運び易く、値段が安く、簡単に金属を切断できるので、工場、学校、日曜大工など、どこでも手軽に使用されています。
そんな中で、金属板を丸く切断したり、曲線形状に切断したり、曲線がある穴などの小さな曲線の切断はできなかった。
【０００３】
これは、弓鋸の鋸刃の幅が広くねじれにくいためで、仕方がないと思われていた。
【０００４】
この対策として、鋸刃の幅が小さい糸鋸で、小さな曲線のみを切断する
こともできるが、弓鋸は押して、糸鋸は引いて切断するなどと、操作方法が異なっていて扱いにくく、段になったり、鋸刃が折れることもしばしばあった。又直線、曲線が入り混じった複雑な形状の切断では、いちいちの鋸を交換するのが面倒でもあった。
【考案の概要】
【考案が解決しようとする課題】
【０００５】
解決しようとする課題は、弓鋸だけで、直線、小さな曲線を含む複雑な形状及び、複雑な穴形状などの切断を可能にすることである。
【課題を解決するための手段】
【０００６】
本考案の弓鋸の鋸刃は、中央部分の幅を両端より十分に小さくしてねじれやすくし、更に穴部の加工の為に鋸刃を通す下穴が小さくなるように、前取り付け部の幅を後取り付け部より小さくしている。
【考案の効果】
【０００７】
このような形状にしているので、直線、小さな曲線の切断や、直線、曲線が混じった複雑な形状も、弓鋸だけでそのままで切断ができるし、力の掛け方も同じなので、鋸の扱いもし易い。又穴を切断加工するための鋸刃を通す下穴も小さくてよい。
【図面の簡単な説明】
【０００８】
【図１】弓鋸に本案の鋸刃を、取り付けた時の側面図である。
【図２】弓鋸に従来の鋸刃を、取り付けた時の側面図である。
【図３】本案の弓鋸の鋸刃の側面図である。
【図４】従来の弓鋸の鋸刃の側面図である。
【図５】従来の弓鋸の鋸刃を、切削又は切断して製作した場合の、切削部を示した側面図である。
【考案を実施するための形態】
【０００９】
弓鋸だけで、直線及び小さな曲線を切断するという目的を、弓鋸の鋸刃の中央部の幅を、小さくするということで実現できた。
【実施例１】
【００１０】
図３は、本考案の鋸刃５の形状を示した図で、中央の切断部の鋸刃５ａの幅は前後の取り付け部よりも十分に小さくし、前取り付け部５ｃの幅も、穴加工の為の鋸刃を通す下穴を小さくするため、出来るだけ小さくしている。後ろの取り付け部５ｂは従来と同じ幅にしている。
【実施例２】
【００１１】
図５は、従来の鋸刃から本考案の鋸刃を製作するための切削部（斜線部）を示している。
【産業上の利用可能性】
【００１２】
本考案は、現在の弓鋸をそのまま使用でき、直線、曲線を含む複雑な形状を、切断でき、操作性も良いので、金属板を切断するあらゆる所で利用される可能性がある。
【符号の説明】
【００１３】
1  弓鋸のフレーム
2  弓鋸の前取り付け部
3  弓鋸の後取り付け部
4  弓鋸のハンドル
5  本案の鋸刃
５ａ本案の鋸刃の切断部
５ｂ本案の鋸刃の後取り付け部
５ｃ本案の鋸刃の前取り付け部
6  従来の鋸刃
【図１】
0003171154.tif 000003
【図２】
0003171154.tif 000004
【図３】
0003171154.tif 000005
【図４】
0003171154.tif 000006
【図５】
0003171154.tif 000007
【手続補正書】
【提出日】平成23年8月4日(2011.8.4)
【手続補正１】
【補正対象書類名】実用新案登録請求の範囲
【補正対象項目名】全文
【補正方法】変更
【補正の内容】
【実用新案登録請求の範囲】
【請求項１】
同じ幅の鋸刃の中央部分を、切断または切削して製作することを特徴とする請求項1、2の弓鋸の鋸刃。
(57)【要約】      （修正有）【課題】田植前まで水田に浸けて置いた苗箱を、田植の直前に膝や腰を曲げることなく、手作業で畦や農道に揚げることを可とする苗箱引揚げ機を提供する。【解決手段】ハンドル４の先端につけた固定アーム２と途中にある挟み込むためのヒンジ支点３をもつ可動アーム１とによって構成され、前記アーム先端には爪５、６が設けられ前記爪の形状は、三日月（半円）形であり材質は、樹脂製とする。この構造により、固定アーム２と可動アーム１に依って、苗箱を挟み込み固定した状態で、従来の手作業のように膝や腰に負担をかけずに、引揚げることができる。さらに、可動アームを２本爪として引揚げ時に更なる安定感が得られるようにしても良い。【選択図】図１
0003171152.tif 000002
【実用新案登録請求の範囲】
【請求項１】
この苗箱引揚げ機は、本体のハンドル先端に角度のある固定アームとその途中にあるヒンジ支点の可動アームとが、苗箱をしっかりと挟み込み固定する方式で、夫々のアーム先端には、三日月形の苗箱を破損し難い、形状と材質の爪を付けていることを特徴とする。
【請求項２】
前記の苗箱を挟み込む先端の角度のある固定アームには、２本の爪が付き、一方の可動アームには、１本の爪と２本の爪の何れかを装着できることを特徴とする請求項１記載の苗箱引揚げ機。
【考案の詳細な説明】
【技術分野】
【０００１】  この考案は、田植前まで水田に浸けて置く苗箱を引揚げる器械。
【背景技術】
【０００２】  従来、田植前まで水田に浸けて置く苗箱は、田植の直前に膝や腰を曲げて、手作業（専用器械がない為）で、畦や農道に揚げている。
【考案の概要】
【考案が解決しようとする課題】
【０００３】  しかしながら、以上の技術によれば、手作業に依って持ち揚げていた苗箱だが、膝や腰への負担があり辛い作業である。そこで、この考案は、水田にも入ることなく、膝も曲げずに引揚げられる器械を提供することを課題とする。
【課題を解決するための手段】
【０００４】  以上の課題を解決するために、第一考案は、ハンドル▲４▼先端に角度のある固定アーム▲２▼と、その途中にあるヒンジ支点▲３▼の可動アーム▲１▼とが、苗箱をしっかりと挟み込む方式で夫々のアーム先端には、三日月形の苗箱を破損し難い、形状と材質の爪を付けていることを特徴とする器械である。
また、第二考案は、苗箱を挟み込む先端の固定アームには、２本の爪（図２の▲２▼）また、可動アームには、１本の爪と２本の爪（図２の▲１▼と▲１▼−Ａ）の何れかを装着できることを特徴とする器械である。
【考案の効果】
【０００５】  第一考案、又は、第二考案によれば、この器械に依って苗箱を挟み込み、固定し引揚げる。従来の手作業より遥かに身体の負担軽減となり、作業時間の短縮にもつながる。
【図面の簡単な説明】
【０００６】
【図１】この考案の一実施形態を示す斜視図である。
【図２】アームの詳細図である。
【図３】爪先の詳細図である。
【考案を実施するための形態】
【０００７】  この考案の一実施形態を、図１に示す。
引揚げ機の本体構造は、ハンドル▲４▼の先端に角度のある固定アーム▲２▼とその途中にヒンジ支点▲３▼を持つ可動アームから構成され、夫々のアームの先には三日月形の爪▲５▼▲６▼が装着されている。
【０００８】「実施形態の効果」
この実施形態によれば、固定アーム▲２▼と可動アーム▲１▼に依って、苗箱を挟み込み固定した状態で、従来の手作業のように膝や腰に負担をかけずに、引揚げることができる。
「他の実施形態」
通常の実施形態では、図１のアーム形式（前後計３本）であるが、可動アームを図２の▲１▼−Ａ（右上図の２本爪）に交換することに依り、引揚げ時に更なる安定感が得られる。
【符号の説明】
【０００９】▲１▼  可動アーム（１本爪用）  ▲１▼−Ａ  可動アーム（２本爪用）  ▲２▼  固定アーム  ▲３▼  ヒンジ（蝶番）  ▲４▼  ハンドル  ▲５▼  １本爪  ▲６▼  ２本爪
【図１】
0003171152.tif 000003
【図２】
0003171152.tif 000004
【図３】
0003171152.tif 000005
【手続補正書】
【提出日】平成23年7月27日(2011.7.27)
【手続補正１】
【補正対象書類名】実用新案登録請求の範囲
【補正対象項目名】請求項１
【補正方法】変更
【補正の内容】
【請求項１】
苗箱引揚げ機において、柄の先端につけた固定アームと途中にある挟み込むためのヒンジ支点をもつ可動アームとによって構成され、前記アーム先端には爪が設けられ前記爪の形状は、三日月（半円）形であり材質は、樹脂製であることを特徴とする苗箱引揚げ機。
(57)【要約】      （修正有）【課題】各種車両等のシフトノブを外環境からの汚染、傷つき、破損から防止し、長期使用による厭きをなくし、ドライブ気分を変えることができ、かつ安価な全車適応シフトノブカバーを提供する。【解決手段】シフトノブ本体３を挿入口２より挿入し、シフトノブ体部を被覆部１と挿入口２を伸張しながら覆っていく。挿入口２は被覆部１より強度が強く、かつ伸縮、伸張性がある様に製作し、シフトノブ本体３全体を覆ったあとは小さくしぼみ景観を良くする。オートマチック車のシフトノブにはセレクトノブが付いているものもあるので、その時にはカバー横に、小さくセレクトノブを通す穴４を開ける。【選択図】図２
0003171156.tif 000002
【実用新案登録請求の範囲】
【請求項１】
シフトノブカバーを構成する素材は天然ゴムのような伸縮、伸張性に富み、シフトノブカバーの形状は、図に示すように覆うべきシフトノブを包み込むように出来ており、被覆されるシフトノブよりはやや小さく、伸張してシフトノブを覆う。シフトノブカバーの挿入口部分は当該皮膜部分よりは強度があり、被覆後シフトノブ本体を完全カバーする全車適応シフトノブカバー。
【考案の詳細な説明】
【技術分野】
【０００１】  本考案は各種自動車のドライブシフトを、伸縮、伸張性のある天然ゴム素材の皮膜で覆い、ドライブシフトを外環境の汚染から防御し、かつカバーの交換を行うことによってシフトノブの様相を変え、安価にドライブ気分の変化を楽しもうとする全車適応シフトノブカバーである。
【背景技術】
【０００２】  従来、既存の車輌のシフトノブには、シフトノブを外環境の汚染から防御すべきカバーはなく、シフトノブはドライバーによるシフトチェンジによって汚染され、かつ、長期間の使用によって厭きがくる。現在市販のシフトノブカバーはノブの形状に合わせた革製のものや、プラスチック、布製のものが多く、単一シフトノブに限定的で、かつ製造、販売単価が高価であり、汗で滑りやすい。
【考案が解決しようとする課題】
【０００３】  そのために、次のような問題点があった。
（イ）  シフトノブの美観を損ね、高価なうえ、厭きもきて、汗で滑りやすく操作しにくい。
本考案は以上の問題点を解決しようとするものである。
【課題を解決するための手段】
【０００４】  シフトノブカバーを構成する素材は天然ゴムのような伸縮、伸張性に富み、シフトノブカバーの形状は、図に示すように覆うべきシフトノブを包み込むように出来ており、被覆されるシフトノブよりはやや小さく、伸張してシフトノブを覆う。シフトノブカバーの挿入口部分は当該皮膜部分よりは強度があり、被覆後シフトノブ本体を完全カバーする全車適応シフトノブカバーである。
シフトノブ本体を種々にデザイン、カラーリングされた、伸縮、伸張性のある薄膜シフトノブカバーで覆うことによって、シフトノブ本体の美観も損ねず、厭くこともなく気分を変えられる。シフトノブも天然ゴムで覆われ、滑らず、操作しやすい全車適応シフトノブカバーである。
【考案の効果】
【０００５】  本考案はシフトノブの美観を損ねず、また外環境からの汚染を防止し、使用者の気分を変え、シフトノブ操作を楽にし、かつ製造単価が安価である。
【考案を実施するための最良の形態】
【０００６】以下、本考案の実施の形態を説明する。
（イ）      単色、複色カラーリング、または種々デザイン化された被覆部（１）とシフトノブ挿入口（２）。シフトノブ本体（３）。オートマシフトノブのセレクトノブを通す穴（４）
本考案は以上のような構造で、これを使用するときはシフトノブ本体（３）を挿入口（２）より挿入し、シフトノブ体部を被覆部（１）と挿入口（２）を伸張しながら覆っていく。挿入口（２）は被覆部（１）より強度が強く、かつ伸縮、伸張性もあるので、シフトノブ本体（３）全体を覆ったあとは小さくしぼみ景観を良くする。  本考案は以上のような構造で、これを使用するときは挿入口（２）を伸張し、シフトノブ本体（３）をシフトノブ上部より包み込むように覆えばよい。いわばシフトノブのサックである。
本来はマニュアル車のシフトノブ用だが、オートマチック車のシフトノブにはセレクトノブが付いているものもあるので、その時にはカバー横に、小さくセレクトノブを通す穴（４）を開ければよい。
【図面の簡単な説明】
【０００７】
【図１】本考案の斜視図
【図２】本考案の使用状態を示す斜視図
【符号の説明】
【０００８】１  被覆部
２  挿入口
３  シフトノブ本体
４  セレクトノブ用穴
【図１】
0003171156.tif 000003
【図２】
0003171156.tif 000004
【手続補正書】
【提出日】平成23年7月29日(2011.7.29)
【手続補正１】
【補正対象書類名】実用新案登録請求の範囲
【補正対象項目名】全文
【補正方法】変更
【補正の内容】
【実用新案登録請求の範囲】
【請求項１】
シフトノブカバーを構成する素材は天然ゴムのような伸縮、伸張性に富み、シフトノブカバーの形状はシフトノブを包み込むように出来ており、被覆されるシフトノブよりはやや小さく、伸張してシフトノブを覆い、シフトノブカバーの挿入口部分は当該皮膜部分よりは強度があり、被覆後シフトノブ本体を完全カバーする全車適応シフトノブカバー。
(57)【要約】【課題】再生可能資源である木材を用いつつ、個別に意匠や強度を容易に変更可能な車止めポールを提供することを課題とする。【解決手段】車止めポールＸとして、棒状及び／又は板状の木材片を接着剤で接合して柱状に形成され、底面側に長手方向に沿った穴１１が設けられる本体１０と、前記穴１１に嵌合固定される棒体又はパイプ体により形成される支持体２０とから構成する。前記本体１０は、天然素材からなる接着剤により接合されることが望ましい。【選択図】  図２
0003171104.tif 000002
【実用新案登録請求の範囲】
【請求項１】
棒状及び／又は板状の木材片を接着剤で接合することで柱状に形成され、底面側に長手方向に沿った穴が設けられる本体と、
前記穴に挿入されて固定される棒体又はパイプ体により形成される支持体と
からなる車止めポール。
【請求項２】
前記本体は、天然素材及び硬化剤からなる接着剤により接合したものである請求項１に記載の車止めポール。
【考案の詳細な説明】
【技術分野】
【０００１】
本考案は、車止めポールに関し、特に再生資源を用いた車止めポールに関する。
【背景技術】
【０００２】
道路や公園において車の進入を防止するために設置される車止めポールは、多くの場合、有限の資源である金属、石、合成樹脂によって形成される。一方、近年再生可能資源の利用が推進されており、車止めポールもこのような再生可能資源を利用することが望ましい。再生可能資源である無垢材を用いた車止めポールもあるが、効率よく利用するためには形状に制約が生じ、同時に強度にも制限がある。
これに対して、下記特許文献などに示されるように木材チップを型で任意の形状に固めた車止めポールがあり、これは形状の制約がなく、形状により強度を高めることも可能である。
【先行技術文献】
【特許文献】
【０００３】
【特許文献１】実開平７−３４０１７号  段落［００１５］
【考案の概要】
【考案が解決しようとする課題】
【０００４】
しかしながら、木材チップを型を用いて固める場合、容易な形状の変更は難しく、設置場所に合わせて柔軟に、意匠を変えたり、強度を調節したりすることは難しい。
本考案は、このような問題に鑑み、再生可能資源である木材を用いつつ、個別に意匠や強度を容易に変更可能な車止めポールを提供することを課題とする。
【課題を解決するための手段】
【０００５】
上記課題を解決するために本考案は、次のような構成を有する。
請求項１に記載の考案は、棒状及び／又は板状の木材片を接着剤で接合することで柱状に形成され、底面側に長手方向に沿った穴が設けられる本体と、前記穴に嵌合固定される棒体又はパイプ体により形成される支持体とからなる車止めポールである。
請求項２に記載の考案は、前記車止めポールにおいて、前記本体は、天然素材及び硬化剤からなる接着剤により接合されるものである。
【考案の効果】
【０００６】
以上のような構成により、本考案は次のような効果を奏する。
請求項１に記載の考案は、木材片を接着剤により接合した集成材からなるものであるため、容易に形状を変えることが可能であり、強度も適宜調節することができる。
請求項２に記載の考案は、集成材を形成する接着剤を天然素材を主体とするものとすることで本体を廃棄する際に、環境に負荷を与えることなく処分することが容易となる。
【図面の簡単な説明】
【０００７】
【図１】実施形態に係る車止めポールの斜視図である。
【図２】図１のA−A線断面図である。
【考案を実施するための形態】
【０００８】
以下、本考案の実施の形態について、図面を参照しながら説明する。
図１に本実施形態に係る車止めポールＸの斜視図を示し、図２に図１のＡ−Ａ線断面図を示す。車止めポールＸは本体１０と、支持体２０とから構成される。
本体１０は、棒状又は板状の木材片がレゾルシノール樹脂接着剤やイソシアネート系接着剤のような集成材に用いられる接着剤により接着されて柱状に形成されたものである。本体１０の製造方法としては、本体１０の厚さと同じ厚さの板状に集成材を形成した後に、これを切断して柱状にし、細かな形状を切削することで本体１０の形状にする方法や、木材片のパーツを本体１０の形状にくみ上げる方法などが用いられる。また、本体１０の底面中央には、円柱状の穴１１が長手方向に沿って設けられる。
支持体２０は、本体１０の穴１１の内径よりやや大きな外径を有する鉄製のパイプであり四隅に穴の空いた正方形上のフランジが側面に溶接されている。支持体２０は、本体１０の穴１１に挿入されフランジに設けられる穴を介して木ねじにより固定される。
【０００９】
車止めポールＸはこのような構成により、設置場所に設けられる穴に支持体２０を差し込むことにより設置する。設置に際しては設置場所において支持体をコンクリートなどで完全に固定してもよく、また、固定せずに設置場所の穴に対して脱着できるようにしてもよい。車止めポールＸは本体１０が集成材により形成されているので、再生可能資源の利用が促進でき、さらに、製造工程において、切断時に切断幅を変えたり、切削する部分の形状を適宜変更したり、木片を追加したりすることで、任意に意匠や強度を変することが可能である。
【００１０】
なお、上記実施形態では、本体１０を形成するための接着剤として一般的な集成材用の接着剤を用いているが、天然素材からなる天然系接着剤を用いても良い。具体的な接着剤としては、ニカワ、カゼイン、漆、天然ゴムの１種以上からなる接着剤が例示される。なお、これらに硬化を促進させる少量の硬化剤等を混合させてもよい。このように天然系接着剤を用いることで、廃棄時に燃やしたり地中に埋めたりしても、有害物質が発生する恐れがなく、環境保護の観点から好ましい。
その他、集成材を用いた車止めポールとして、本体を設置面に設けた穴から出没自在に設けた埋没型のものや、本体を平らな状態としてそのまま設置面に置く置き型のものにも利用可能である。
【符号の説明】
【００１１】
Ｘ  車止めポール
１０  本体
１１  穴
２０  支持体
【図１】
0003171104.tif 000003
【図２】
0003171104.tif 000004
(57)【要約】      （修正有）【課題】お位牌や過去帳を載せる棚、灯明等の在家用具足、鳴物その他諸々の仏具を載せる棚、桐材の納骨箱等を納める引き出し、お線香や念珠を入れる引き出し等を備えた仏壇において、仏壇の天板と一体に若しくは天板と別体の透明又は半透明の透光性を有する載置台内に光源を配置し、載置台上に木彫仏像、芸術性に富む人物の石膏像、前衛的なオブジェ、等を展示し光源から光を照射しライトアップして、宗派を超え室内に展示するインテリア装飾品として違和感なく祭祀できる仏壇を提供する。【解決手段】通常の仏壇が有する棚や引き出し等を備えた仏壇において、仏壇の天板と一体に若しくは天板と別体の透明又は半透明の透光性を有する載置台内に光源を配置し、載置台上に木彫仏像、芸術性に富む人物の石膏像、前衛的なオブジェ、等を展示し光源から光を照射しライトアップし、宗派を超え室内に展示するインテリア装飾品としての仏壇を構成する。【選択図】図１
0003165602.tif 000002
【実用新案登録請求の範囲】
【請求項１】
お位牌や過去帳を載せる棚、灯明等の在家用具足、鳴物その他諸々の仏具を載せる棚、桐材の納骨箱等を納める引き出し、お線香や念珠を入れる引き出し等を備えた仏壇において、仏壇の天板と一体に若しくは天板と別体の透明又は半透明の透光性を有する載置台内に光源を配置し、載置台上に木彫仏像、芸術性に富む人物の石膏像、前衛的なオブジェ、等を展示し光源から光を照射しライトアップし、宗派を超え室内に展示するインテリア装飾品としての仏壇。
【考案の詳細な説明】
【技術分野】
【０００１】
本考案は従来のように仏壇とは視覚されない家具調の仏壇でありながら、仏壇上に木彫仏像や、美的な石膏像や、前衛的オブジェや、所望の趣味品等の載置台のような外観を呈する仏壇であり、室内に展示するインテリア装飾品として違和感なく祭祀できる仏壇である。
【背景技術】
【０００２】
最近、都市近郊において墓地を簡易に入手できにくくなり、次世代仏壇としてライフスタイルに合わせ室内で近親者を祭祀できる仏壇として、室内に据置きタイプのもの、或いは壁掛けタイプのものが流行している。壁面収納型仏壇タイプとして例えば特許文献1がある。
【０００３】
斯様な仏壇は、ご本尊、掛軸、お位牌、桐材の納骨箱、過去帳、灯明その他諸々の仏具を、モダン和風或いは斬新なデザインを施した現代的な仏壇の一堂に納めている。
また独立した仏壇を据置くスペースが手狭な住宅事情のためシステム家具の内部に引き出し、棚等の収納部と仏壇の収納部を設けた現代仏壇システムとして特許文献2がある。
【０００４】
また、堂内を荘厳に照らす照明器具を、仏壇内部の上方において天板との間に半透明の仕切板で区画した空間部に照明器具及び灯籠の光源を固定した特許文献3がある。
【０００５】
更に仏像、仏像を描いた掛軸を照射するLED光源を仏壇内部に納めたものとして例えば特許文献4がある。
【先行技術文献】
【特許文献】
【０００６】
【特許文献１】特開2004−230103号公報
【特許文献２】特開2004−243086号公報
【特許文献３】特開平9−140554号公報
【特許文献４】特開2004−358010号公報
【考案の概要】
【考案が解決しようとする課題】
【０００７】
特許文献1の仏壇は既に普遍的な公知のものであり、特許文献2の仏壇には堂内を照らす照明設備が無く、特許文献3及び特許文献4は何れも仏壇内部を照らす照明器具であり、本考案のように仏壇の天板の上に設けた透光性を有する置台の中に光源を内蔵し、置台上に木彫仏像や、芸術性に富む人物の例えばビーナス石膏像や、前衛的なオブジェを載せ置いて飾りライトアップするものではない。
【課題を解決するための手段】
【０００８】
お位牌や過去帳を載せる棚、灯明等の在家用具足、鳴物その他諸々の仏具を載せる棚、桐材の納骨箱等を納める引き出し、お線香や念珠を入れる引き出し等を備えた仏壇において、仏壇の天板と一体に若しくは天板と別体の透明又は半透明の透光性を有する載置台内に光源を配置し、載置台上に木彫仏像、芸術性に富む人物の石膏像、前衛的なオブジェ、等を展示し光源から光を照射しライトアップして、宗派を超え室内に展示するインテリア装飾品として違和感なく祭祀できる仏壇である。
【考案の効果】
【０００９】
仏壇の天板上に簡単に設置できる透光性を有する載置台上に木彫仏像、芸術性に富む人物の石膏像、前衛的なオブジェ等を展示し、載置台に内蔵した光源から光を照射してライトアップし、仏壇の内部には従来のように祭祀用品を備えながら仏壇のイメージを超えたインテリア装飾品として違和感なく祭祀できる仏壇である。
【図面の簡単な説明】
【００１０】
【図１】本考案に係る仏壇の天板上に設置した載置台に木彫の弥勒菩薩像を載せ置き、仏壇の前扉を観音開きし、お位牌を棚上に安置した状態を示す正面図。
【図２】本考案に係る仏壇の天板上に設置した載置台に木彫の弥勒菩薩像を載せ置き、仏壇の前扉を閉じた状態を示す一部切欠き正面図。
【図３】仏壇の前扉を開けた状態を示す平面図。
【考案を実施するための形態】
【００１１】
現代風の仏壇1の内部にはお位牌2等を載せ祭祀する棚3、飯食、菓を奉仕して本尊を供養する前法具等を載せる棚4、華瓶、燭台、香炉等の在家用具足を載せる出し入れ自在な棚5、鳴物その他諸々の仏具を収納する引き出し6、高杯、お供物用膳等を収納する引き出し7、線香やローソク、念珠、経箱、等を入れる引き出し8、桐材の納骨箱を納める引き出し9を備えた仏壇1において、仏壇1の天板自体を透明又は半透明の透光性を有する載置台1aに形成し、若しくは仏壇と一体の天板の上に載せ置く別体の載置台1aを形成し、載置台1aにLED光源を内蔵し、載置台1a上に木彫の弥勒菩薩像等の仏像10や、図示していないが芸術性に富む美しいビーナス等の石膏像、前衛的なオブジェ等を展示し、LED光源から上向きに光を照射してライトアップするのであり、宗派を超え室内に展示するインテリア装飾品として違和感なく祭祀できる仏壇である。
【産業上の利用可能性】
【００１２】
宗派を超え室内に展示するインテリア装飾品として違和感なく祭祀できる現代風  の仏壇上に個人の趣味に応じた種々の装飾品を飾り、祖先の崇拝と華やかな雰囲気を楽しむことができるライフスタイルにマッチするため、市場性に富む考案である。
【符号の説明】
【００１３】
１  仏壇  1a 載置台  2  位牌  3、4、5  棚  6、7、8、９  引き出し  １０  木彫仏像
１１  前扉
【図１】
0003165602.tif 000003
【図２】
0003165602.tif 000004
【図３】
0003165602.tif 000005
(57)【要約】【課題】  本考案は、予定，メモ等の書き入れ余白が大きく、且つ今日的な情報を含むカレンダー情報を数多く掲載した月めくりカレンダーを新規に提供することにある。【解決手段】  本考案は月めくりカレンダーを構成する各月の日付枠内の左上隅などに日付のみを小さく入れ、該日付枠内のほとんどを予定，メモ等を記入するための大きな余白とし、且つ該カレンダーの各月の前にめくり可能において同形大きさの透明シートを重ね、該透明シートに職業，学問上などので知得すべき情報を含むカレンダー情報を数多く掲載するようにして卓上型，ノート型，手帖型，壁掛け形の月めくりカレンダーを形成する。【選択図】図２
0003165614.tif 000002
【実用新案登録請求の範囲】
【請求項１】
月めくりカレンダーの各月の日付枠内に日付のみを小さく入れ、該日付枠内のほとんどを予定，メモ等を記入するための大きな余白とし、該カレンダーの各月の前にめくり可能において同形大きさの透明シートを重ね、該透明シートに日付などを透視可能において職業，学問上などの今日情報を含んだカレンダー情報を数多く掲載するようにしたことを特徴とする月めくりカレンダー。
【請求項２】
カレンダーは卓上型，ノート型，壁掛け形のいずれかである請求項１に記載の月めくりカレンダー。
【考案の詳細な説明】
【技術分野】
【０００１】
この考案は月めくりカレンダーに関するものである。
【背景技術】
【０００２】
従来、月めくりカレンダーは各月のカレンダーの日付枠内に日付を入れるほか師走などの旧暦の月の呼び名，大安等の縁起，干支などを印刷していてメモ等を各込む余白を小さくしている。また特開２００３−１０３９６２号公報は壁掛け形のカレンダーにおいて、月別のカレンダーの前の上半に不透明のフィルムを重ね、この不透明のフィルムに富士山などの絵柄を印刷することを記載している。
【特許文献１】特開２００３−１０３９６２号公報
【考案の開示】
【考案が解決しようとする課題】
【０００３】
しかしながら、従来の月めくりカレンダーは使用者が予定，メモ等を書き込もうとしても余白が小さくて書き込みきれないという課題がある。特に卓上型，ノート型，手帖型のカレンダーは予定，メモなどを記入するためということが主要な役目であるから、なおさらである。
またカレンダー情報が少なく、現状に合っていないという課題がある。
【課題を解決するための手段】
【０００４】
本考案は、月めくりカレンダーを構成する各月の本紙の日付枠内の左上隅などに日付のみを小さく入れ、該日付枠内の大半を予定，メモなどを記入するための余白にして余白を大きくするとともにカレンダー情報を該各月の本紙の前にめくり可能に重ねる同形大きさの各月の透明シートに記入してカレンダー情報を格段に増加するようにして、かかる課題を解決するようにしたのである。
【考案の効果】
【０００５】
本考案は、月めくりのカレンダーの各月の日付枠内の日付を左上隅などに小さく入れるのみにして余白を大きくしたので、メモなどの書き込みがしやすく、多くできるという効果を生ずる。
カレンダーの各月の前に同形大きさの透明シートを設けたので、カレンダー情報が多量において掲載することができることになるという効果を生ずる。
【図面の簡単な説明】
【０００６】
【図１】卓上型の月めくりカレンダーの１例を示す斜視図
【図２】同、カレンダー情報を掲載した透明シートをカレンダー本紙に重ねない状態の正面図
【図３】同、透視シートをカレンダー本紙に重ねた正面図
【図４】学生向けのカレンダーの１例をカレンダー本紙と透視シートを各別にて示す正面図
【符号の説明】
【０００７】
Ａ１〜Ａ１２はカレンダー本紙
Ｂ１〜Ｂ１２は透視シート
Ｃは月めくりカレンダー
Ｄは各月の表示
Ｅは曜日欄
Ｆは日付枠
Ｇは日付
Ｈは余白
【考案を実施するための最良の形態】
【０００８】
本考案は、特に卓上型，ノート型，手帳型の月めくりカレンダーの各月は各日付枠内に日付を小さく入れるのみにして、該日付枠内のほとんどすべてを予定，メモなどの書き込み用の大きな余白とし、該カレンダーの各月の前にめくり可能において同形大きさの透明シートを重ね、該透明シートにカレンダー情報として現代において必要な情報を含めて数多く掲載するようにして月めくりカレンダーを形成する。
【実施例１】
【０００９】
図１乃至図３は卓上型の月めくりカレンダーの１例を示すもので、１〜１２月のカレンダー本紙Ａ１〜Ａ１２のそれぞれの前に同形大きさの透明シートＢ１〜Ｂ１２をめくり可能に重ねて卓上型の月めくりカレンダーＣを形成する。
【００１０】
カレンダー本紙Ａ１〜Ａ１２は図２に示すように各月の表示Ｄと曜日欄Ｅ下に日付枠Ｆを形成し、各日付枠Ｆ内の左上隅などに日付Ｇのみを小さく印刷し、他の９０％以上を予定等の書き込み余白Ｈとする。
【００１１】
透明シートＢ１〜Ｂ１２は、カレンダー情報としてそれぞれの月の日付に合った情報、例えば大安，友引などの六曜縁起，きのえね，みずのとなどの干支，月の満ち欠けの月齢，大潮，長潮などの潮の満ち引き，その日の誕生花など日付に応じて印刷して、本紙Ａ１〜Ａ１２の日付などを透視しながら知ることができるようにする。
【００１２】
カレンダー情報は上記のほか、現代の情報として交通機関の開通，変更，外国出張に必要な主要外国の休日などを入れ，外国通貨の単位，為替レート，航空・鉄道・主要ホテル等の連絡先等の情報を加え、社会人は職業別のカレンダーを入手することにより、月めくりしながら透明シートによる職業にまつわる個別情報の提供を受けることができるようにする。月に関わりなく利用する情報は必要時にめくり探していつでも見ることができるようにする。
【実施例２】
【００１３】
図４は学生向けの卓上型月めくりカレンダーＣについての実施例を示すもので、透明シートＢ１〜Ｂ１２に全国模試の開催日，受験受付日，試験日，偏差値ランキング，学習用クイズなどの問答を入れて学力，社会常識の向上をはかるようにする。
【００１４】
その他、日付に照応する旧暦，端午の節句などの五節句，春分・夏至などの二十四節季，花見・紅葉予想日，全国の祭りなどの開催日，地域に特化した地域別，婦人向け，子供向けなど提供先を特定した月めくりカレンダーＣにして提供する方法がある。提供先に関連する広告情報などを掲載することもできる。
【００１５】
なお、カレンダー本紙は、１月の前，１２月の後などに増刷紙を設けて、大きな面積を有する鉄道網地図を印刷し、その前の透明シートに主要建造物の場所を印刷するなどして日付にかかわらない情報を提供してカレンダーの利便性を向上させることもできる。
【００１６】
本考案の月めくりカレンダーは卓上型のほか、大小のノート型，手帖型および壁掛け形のカレンダーにおいて実施することができる。
【産業上の利用可能性】
【００１７】
本考案は、予定等のメモ書き用の余白が大きく、且つ今日情報の多いカレンダーを新規に提供することで広く利用されるものである。
【図１】
0003165614.tif 000003
【図２】
0003165614.tif 000004
【図３】
0003165614.tif 000005
【図４】
0003165614.tif 000006